(57)【要約】【課題】トップカバーに対する操作部の取り付けおよび取り外しが簡単で、組付性、メンテナンス性に優れた洗濯機を提供する。【解決手段】操作部１０の前部の下部に設けられた前側係止片１２３と、操作部１０の後部の下部に設けられた後側係止片１２４と、トップカバー３の前部の上面に設けられ、前側係止片１２３が係止される前側係止受部５ａ１と、トップカバー３の前部の上面に設けられ、後側係止片１２４が係止される後側係止受部５ｂ１と、を備え、前側係止片１２３と後側係止片１２４とは、操作部１０の前後方向に沿って相互に離反する方向に突出する係止爪１２３ｂ，１２４ｃをそれぞれ有しており、前側係止片１２３は、後側係止片１２４よりも弾性変形し易く形成されている構成とした。【選択図】図１１
2013255696.tif 000002
【特許請求の範囲】
【請求項１】
筐体上部に設けられるトップカバーと、前記トップカバーの前部の上面に装着される操作部とを備えた洗濯機において、
前記操作部の前部の下部に設けられた前側係止片と、前記操作部の後部の下部に設けられた後側係止片と、前記トップカバーの前部の上面に設けられ、前記前側係止片が係止される前側係止受部と、前記トップカバーの前部の上面に設けられ、前記後側係止片が係止される後側係止受部と、を備え、
前記前側係止片と前記後側係止片とは、前記操作部の前後方向に沿って相互に離反する方向に突出する係止爪をそれぞれ有しており、
前記前側係止片は、前記後側係止片よりも弾性変形し易く形成されていることを特徴とする洗濯機。
【請求項２】
前記前側係止片は、前記後側係止片よりも全長が長く形成されることで、前記後側係止片よりも弾性変形し易く形成されていることを特徴とする請求項１に記載の洗濯機。
【請求項３】
前記トップカバーは、前記操作部の後方に開口形成された洗濯物の出入口を有しており、前記操作部は、前記前側係止片により前記出入口に向けて付勢されていることを特徴とする請求項１に記載の洗濯機。
【請求項４】
前記操作部は、フロントパネルと、前記フロントパネルに装着される操作パネルとを含んでおり、前記フロントパネルは、板状とされた基部と、前記操作パネルが装着される枠状とされた装着部とを有しており、
前記基部に前記後側係止片が設けられ、前記装着部に前記前側係止片が設けられていることを特徴とする請求項１に記載の洗濯機。
【請求項５】
筐体の上部に設けられるトップカバーと、前記トップカバーの前部の上面に装着される操作部とを備えた洗濯機において、
前記トップカバーに対して前記操作部を前方へスライドさせる操作および前記操作部の後部側を上方へ引き上げる操作に応じて、前記操作部が前記トップカバーから外れることを特徴とする洗濯機。
【発明の詳細な説明】
【技術分野】
【０００１】
本発明は、洗濯機に関する。
【背景技術】
【０００２】
従来、洗濯機の筐体の上部にトップカバーを装着し、トップカバーの前部に操作部を設けた洗濯機が知られている（例えば、特許文献１参照）。
この洗濯機では、操作部の内方に制御装置を設けている。制御装置は、制御基板とこの制御基板を内部に収納する制御基板収納部とを有しており、制御基板収納部は、操作部の裏面に設けた爪部で係止されている。
【０００３】
このほか、操作部に係止片を設け、この係止片を用いて操作部をトップカバーに取り付けるようにした技術も知られている。
【先行技術文献】
【特許文献】
【０００４】
【特許文献１】特開２００４−２１５８２５号公報
【発明の概要】
【発明が解決しようとする課題】
【０００５】
ところで、前記した係止片を用いて操作部をトップカバーに取り付けるようにした技術では、操作部の係止片をトップカバーに設けた係止受部等に係止させることにより、操作部をトップカバーに容易に取り付けることができる。
しかしながら、メンテナンス等により、トップカバーから操作部を取り外す際に、係止受部に係止片が引っ掛かる等して係止片をうまく外すことができない場合があり、これを改善したいという要望があった。
【０００６】
そこで、本発明が解決しようとする課題は、トップカバーに対する操作部の取り付けおよび取り外しが簡単で、組付性、メンテナンス性に優れた洗濯機を提供することである。
【課題を解決するための手段】
【０００７】
前記課題を解決するために、本発明は、筐体の上部に設けられるトップカバーと、前記トップカバーの前部の上面に装着される操作部とを備えた洗濯機において、前記操作部の前部の下部に設けられた前側係止片と、前記操作部の後部の下部に設けられた後側係止片と、前記トップカバーの前部の上面に設けられ、前記前側係止片が係止される前側係止受部と、前記トップカバーの前部の上面に設けられ、前記後側係止片が係止される後側係止受部と、を備え、前記前側係止片と前記後側係止片とは、前記操作部の前後方向に沿って相互に離反する方向に突出する係止爪をそれぞれ有しており、前記前側係止片は、前記後側係止片よりも弾性変形し易く形成されていることを特徴とする。
【０００８】
また、本発明は、筐体の上部に設けられるトップカバーと、前記トップカバーの前部の上面に装着される操作部とを備えた洗濯機において、前記トップカバーに対して前記操作部を前方へスライドさせる操作および前記操作部の後部側を上方へ引き上げる操作に応じて、前記操作部が前記トップカバーから外れることを特徴とする。
【発明の効果】
【０００９】
本発明によれば、トップカバーに対する操作部の取り付けおよび取り外しが簡単で、組付性、メンテナンス性に優れた洗濯機を提供できる。
【図面の簡単な説明】
【００１０】
【図１】本発明の一実施形態に係る洗濯機のトップカバー周りを示す斜視図である。
【図２】（ａ）は上蓋を開いた状態のトップカバーを正面斜め上方から見た図、（ｂ）は同じく側面斜め上方から見た図である。
【図３】（ａ）は操作部が取り付けられるトップカバーの凹部を示す斜視図、（ｂ）は前側係止受部を示す拡大平面図である。
【図４】（ａ）は操作部の平面図、（ｂ）は同じく正面図である。
【図５】（ａ）は操作部の背面図、（ｂ）は操作部を背面斜め下方から見た図である。
【図６】（ａ）は操作部の拡大側面図、（ｂ）は図４（ａ）のＡ−Ａ線に沿う拡大断面図である。
【図７】（ａ）はフロントパネルの平面図、（ｂ）は同じく正面図である。
【図８】（ａ）はフロントパネルを正面斜め上方から見た図、（ｂ）はフロンドパネルの下面を上にして斜め上方から見た図である。
【図９】（ａ）はフロントパネルの拡大側面図、（ｂ）は図７（ａ）のＢ−Ｂ線に沿う拡大断面図である。
【図１０】（ａ）は前側係止片を示す拡大斜視図（一部断面）、（ｂ）は後側係止片を示す拡大斜視図（一部断面）である。
【図１１】図２（ａ）のＣ−Ｃ線に沿う拡大断面図（一部省略）である。
【図１２】操作部の取り付け手順を示す斜視図である。
【図１３】（ａ）は後側係止片を後側係止受部に係止させた状態を示す図２のＣ−Ｃ線断面に沿う断面図、（ｂ）は図１３（ａ）の状態から前側係止片を前側係止受部に係止させた状態を示す図２（ａ）のＣ−Ｃ線断面に沿う断面図である。
【図１４】操作部の取り外し手順を示す斜視図であり、（ａ）は操作部を前方へスライドさせた状態を示す斜視図、（ｂ）は操作部を引き上げた状態を示す斜視図である。
【図１５】（ａ）は操作部を前方へスライドさせた状態を示す図２（ａ）のＣ−Ｃ線断面に沿う断面図、（ｂ）は図１４（ａ），図１５（ａ）の状態から操作部を引き上げた状態を示す図２（ａ）のＣ−Ｃ線断面に沿う断面図である。
【発明を実施するための形態】
【００１１】
次に、本発明の実施形態について、適宜図面を参照しながら詳細に説明する。なお、各図において、共通する部分には同一の符号を付し重複した説明を省略する。
【００１２】
図１に示すように、洗濯機１は、略四角形の筒形状を呈した筐体２を備え、筐体２の上部にトップカバー３が装着されている。
筐体２内には、有底の円筒形状を呈する図示しない外槽が備わり、外槽内には洗濯物を収容する内槽が備わる。内槽内には、図示しない回転翼が設けられ、回転翼は外槽の下面に設けられたモータにより回転する。
【００１３】
トップカバー３は、上蓋４と、操作部１０とを備える、上蓋４は、図２（ａ）に示すように、把持部４ａを把持して後方へスライドさせることにより、支持部４ｂを支点として回動し、図２（ｂ）に示すように、ヒンジ部４ｃにより２つ折りに折り畳まれた状態で開かれるように構成されている。上蓋４を開くことにより、トップカバー３の内側に形成された洗濯物の出入口３ａが開口する。
なお、図１に示すように、トップカバー３の後端上面には、水道水の給水口３ｄ、風呂水給水口３ｆが設けられている。
【００１４】
操作部１０は、図２（ａ）（ｂ）に示すように、トップカバー３の前部上面に取り付けられている。
トップカバー３の前部上面（出入口３ａの前方部分）には、図３（ａ）に示すように、横長の凹部５が形成されている。操作部１０（図１参照）は、この凹部５に収容されるようにしてトップカバー３に取り付けられる。
【００１５】
図３（ａ）に示すように、凹部５の前縁部５ａには、左右方向に所定の間隔を空けて複数の前側係止受部５ａ１が設けられている。この前側係止受部５ａ１は、図３（ｂ）に示すように、平面視横長四角形状の縦孔内に平面視コ字形状の係止部５ａ２が設けられてなる。係止部５ａ２の内側には、操作部１０に設けられた前側係止片１２３（図６（ａ）（ｂ）参照）が挿通されて係止される。本実施形態では、前縁部５ａに計５つの前側係止受部５ａ１を備えている。
なお、係止部５ａ２は、前側係止受部５ａ１の縦孔の後内面から縦孔の内空に突出しており、縦孔の前内面との間に隙間を有する（縦孔の前内面に接触しない構造）となっている。
【００１６】
凹部５の後縁部５ｂは、図３（ａ）に示すように、トップカバー３の出入口３ａの口縁３ｂよりも一段低くなっており、後縁部５ｂには、左右方向に所定の間隔を空けて貫通形成された複数の後側係止受部５ｂ１が設けられている。後側係止受部５ｂ１は、後縁部５ｂの隅部に開口しており、この開口を通じて操作部１０に設けられた後側係止片１２４（図６（ａ）（ｂ）参照）が挿通されて係止される。本実施形態では、計４つの後側係止受部５ｂ１を備えている。
【００１７】
なお、凹部５の底部には、左右方向に所定の間隔を空けて複数の支持部５ｃが立設されている。各支持部５ｃは、凹部５に操作部１０を取り付けた際に、操作部１０の下部に備わる表示装置１３の下面に当接し、これを支持する。
【００１８】
後縁部５ｂの左右端部には、切欠部５ｄ，５ｄが設けられている。切欠部５ｄ，５ｄには、操作部１０の左右後端に設けられた固定部１２ａ，１２ａ（図４（ａ）参照）が挿入配置される。切欠部５ｄ，５ｄ内には、固定部１２ａ，１２ａを螺合固定するためのねじ孔が形成されている。
【００１９】
操作部１０は、図４（ａ）に示すように、平面視で前側へ向けて湾曲する形状を呈しており、図５に示すように、操作パネル１１と、フロントパネル１２と、表示装置１３と、を備えている。操作部１０は、ベースとなるフロントパネル１２の上に操作パネル１１が取り付けられ、フロントパネル１２の下に表示装置１３が取り付けられている。
【００２０】
操作パネル１１は、図４（ａ）（ｂ）に示すように、上面にキー１２ｃや図示しない表示窓等が配列された操作面を有している。操作パネル１１の後端部１１ａは、図５（ａ）（ｂ）、図６（ａ）（ｂ）に示すように、下方へ向けて折り返されており、図６（ｂ）に示すように、フロントパネル１２の後部に設けられた段差部１２１ａに沿うようにして組み合わされている。
操作パネル１１の下面には、フロントパネル１２に向けて突出する図示しない複数のフック部が形成されており、これらのフック部をフロントパネル１２の対応する部位に係止させることによって、フロントパネル１２の上面に操作パネル１１が固定されるようになっている。なお、ねじ等の締結手段を用いて、フロントパネル１２側から（操作パネル１１の下面側から）操作パネル１１を固定してもよい。
【００２１】
フロントパネル１２は、図８（ａ）（ｂ）に示すように、板状とされた基部１２１と、この基部１２１に連続し、操作パネル１１が装着される部分となる枠状の装着部１２２と、を備えて構成されている。
基部１２１は、図７（ａ）に示すように、平面視で湾曲凹状とされており、両端部分には、トップカバー３の切欠部５ｄ，５ｄに固定するための固定部１２ａ，１２ａが後方へ向けて突出形成されている。
基部１２１は、図９（ｂ）に示すように、段差部１２１ａを有して形成されており、この段差部１２１ａには、図６（ｂ）に示すように、操作パネル１１の折れ曲がった後端部１１ａが装着（被着）されるようになっている。
基部１２１の下部には、図９（ａ）（ｂ）に示すように、後方へ突出するリブ１２４ｂが形成されている。
【００２２】
基部１２１の下端部には、基部１２１と一体的に後側係止片１２４が突出形成されている。後側係止片１２４は、図１０（ｂ）に示すように、基部１２１の下端から下方へ延出する延出部１２４ａと、延出部１２４ａに連続して後方へ折曲形成された係止爪１２４ｃとを有しており、弾性変形しにくく構成されている。後側係止片１２４は、図１１に示すように、トップカバー３の凹部５の後縁部５ｂに設けられた後側係止受部５ｂ１に係止可能である（図３参照）。本実施形態では、計４つの後側係止受部５ｂ１を備えている。
【００２３】
このような後側係止片１２４は、図１０（ｂ）に示すように、延出部１２４ａの後面と、係止爪１２４ｃの上面と、前記したリブ１２４ｂの下面とにより囲まれてなる、側面視で略コ字状の係止凹部１２４ｄを有している。係止凹部１２４ｄは、図１１に示すように、後側係止片１２４を後側係止受部５ｂ１に係止した状態で、後側係止受部５ｂ１の縁部５ｂ２に対して係止可能（引っ掛け可能）となっている。
なお、リブ１２４ｂは、図１１に示すように、後側係止片１２４を後側係止受部５ｂ１に係止した状態で、縁部５ｂ２の上側に位置し、縁部５ｂ２の上側に設けられた開口段部５ｂ３に逃がされる。
【００２４】
装着部１２２は、図７、図８に示すように、大小４つの開口部１２２ｃを有しており、開口部１２２ｃを仕切る前枠１２２ａおよび前後枠１２２ｂを有している。４つの開口部１２２ｃには、図６（ｂ）に示すように、表示装置１３に備わる操作スイッチＳＷを操作するためのキーパッド１３ａや表示器１３ｂが配置される。
【００２５】
装着部１２２（前枠１２２ａ）の前端部には、図６〜図８に示すように、装着部１２２と一体的に前側係止片１２３が突出形成されている。前側係止片１２３は、前後方向に弾性変形可能であり、図１０（ａ）に示すように、装着部１２２の前端部から下方へ延出する延出部１２３ａと、延出部１２３ａの下端部に設けられた係止爪１２３ｂとを有している。係止爪１２３ｂは、前方へ向けて突出しており、前記した後側係止片１２４の係止爪１２４ｃと相互に離反する方向に突出している。
このような前側係止片１２３は、図１１に示すように、トップカバー３の凹部５の前縁部５ａに設けられた前側係止受部５ａ１に係止可能である。本実施形態では、計５つの前側係止片１２３を備えている。つまり、前側係止片１２３は、前記した後側係止片１２４よりも多く設けられている。
ここで、前側係止片１２３は、若干の弾性変形を伴って前側係止受部５ａ１の係止部５ａ２に係止されるようになっている。このような弾性変形を伴った前側係止片１２３の係止によって、操作部１０は、凹部５の後縁部５ｂ側（出入口３ａ側）に向けて付勢された状態でトップカバー３（凹部５）に取り付けられることとなる。
【００２６】
前側係止片１２３には、図９（ａ）（ｂ）に示すように、延出部１２３ａの基端側に、延出部１２３ａに沿って左右方向に突出する補強リブ１２３ｄが設けられている。なお、補強リブ１２３ｄは、左右方向に突出しているので、前側係止片１２３の前後方向の弾性を阻害することがなく、同時に前側係止片１２３の強度を確保することに寄与する。
【００２７】
図１１に示すように、前側係止片１２３の係止爪１２３ｂは、平面視コ字形状の係止部５ａ２の内側に挿通される大きさを有しており、挿通後に係止爪１２３ｂの爪縁１２３ｃが係止部５ａ２の下面に当接することによって、係止部５ａ２に抜け止め不能に係止されるようになっている。
【００２８】
ここで、前側係止片１２３の延出部１２３ａは、後側係止片１２４の延出部１２４ａよりも全長が長く形成されており、これによって、前側係止片１２３は、後側係止片１２４よりも弾性変形し易くなっている。
また、前側係止片１２３は、図示はしないが、前側係止片１２３の延出部１２３ａの延出方向に直交する断面の断面積が、後側係止片１２４の延出部１２４ａの延出方向に直交する断面の断面積よりも小さく形成されている。これにより、前側係止片１２３は、後側係止片１２４よりも弾性変形し易くなっている。
加えて、前側係止片１２３は、枠状の装着部１２２の前端部に設けられているので、前枠１２２ａや前後枠１２２ｂの撓みによっても弾性変形し易くなっている。
なお、後側係止片１２４は、基部１２１の下端に設けられているので、前側係止片１２３よりも弾性変形し難くなっている。
【００２９】
フロントパネル１２の両側部には、図８，図９の各図に示すように、基部１２１と装着部１２２とをつなぐように、側壁部１２６が設けられている。これにより、基部１２１と装着部１２２との補強が図られている。
【００３０】
表示装置１３は、フロントパネル１２の下面に設けられた複数の保持フック１２５（図８（ａ）（ｂ）、図９（ａ）（ｂ）参照）やその他の図示しない係合構造によってフロントパネル１２に取り付けられる。
なお、図示しないねじ等の締結手段を用いて表示装置１３をフロントパネル１２に取り付けることもできる。表示装置１３は、フロントパネル１２に取り付けられて操作部１０に備わる一体的な部品としてトップカバー３に取り付けられる。
表示装置１３は、その内部に、操作スイッチＳＷや電気部品が実装されたプリント基板Ｐ、キーパッド１３ａ、表示器１３ｂ等を備えている（図６（ｂ）参照）。
【００３１】
次に、トップカバー３に対する操作部１０の取り付けおよび取り外しについて説明する。
トップカバー３に操作部１０を取り付ける際には、図１２において黒色矢印で示すように、まず、凹部５の後縁部５ｂ（図３参照）に操作部１０の後部側を近付ける。つまり、取り付け時には、操作部１０の後部側を凹部５に先に装着する。装着時には、操作部１０の上面を略水平にして黒色矢印方向に押し込むようにする。
そして、図１３（ａ）に示すように、基部１２１の下部のリブ１２４ｂを開口段部５ｂ３に引っ掛けるようにして、係止凹部１２４ｄ内に縁部５ｂ２が入り込むように当接する。
【００３２】
その後、この引っ掛けた状態を維持しながら、図１２において白抜き矢印で示すように、操作部１０の前部側をトップカバー３に向けて近付ける。つまり、図１３（ａ）に示すように、開口段部５ｂ３に対するリブ１２４ｂの当接位置を回動支点として、操作部１０の前部側をトップカバー３に向けて回動させる。
【００３３】
そうすると、前側係止片１２３が前縁部５ａの前側係止受部５ａ１に挿入され、係止爪１２３ｂが係止部５ａ２の内面５ａ３に当接しながら係止部５ａ２の内側に進入する。このとき、前側係止片１２３が後方へ向けて弾性変形し、この弾性変形によって操作部１０が後方へ向けて付勢される。これにより、操作部１０の後部側が、凹部５の後縁部５ｂに向けて押し付けられ、係止凹部１２４ｄに対する後側係止片１２４の係止が強まる状態となる。したがって、操作部１０の取り付け時に後側係止受部５ｂ１から後側係止片１２４が外れ難い。
【００３４】
その後、操作部１０の前部側をトップカバー３に向けてさらに回動させると、前側係止片１２３の係止爪１２３ｂが係止部５ａ２の内面５ａ３を通過して、係止部５ａ２の下面側に移動する。これにより、前側係止片１２３の弾性変形が戻り、係止爪１２３ｂの爪縁１２３ｃが係止部５ａ２の下面に係止される。
これにより、前側係止片１２３が前側係止受部５ａ１に係止され、後側係止片１２４が後側係止受部５ｂ１に係止された状態となり、凹部５に対して操作部１０が容易に外れ難い状態に装着される。
【００３５】
その後、図示しない固定ねじによって、操作部１０の左右後端の固定部１２ａ，１２ａ（図４（ａ）参照）をトップカバー３の口縁３ｂの切欠部５ｄ，５ｄ（図３（ａ）参照）に固定する。これによって、トップカバー３に操作部１０が取り付けられる。
【００３６】
次に、例えばメンテナンス等によってトップカバー３から操作部１０を取り外す場合は、まず、切欠部５ｄ，５ｄ（図３（ａ）参照）から固定部１２ａ，１２ａ（図４（ａ）参照）を取り外すべく、固定ねじの締結を解除する。
その後、図１４（ａ）において黒色矢印で示すように、操作部１０の後部、具体的には、操作パネル１１の後端部１１ａやフロントパネル１２の基部１２１に指を掛け、操作部１０を前方に引っ張る。
【００３７】
そうすると、図１５（ａ）に示すように、前側係止片１２３が弾性変形し、操作部１０の前方へのスライド移動が許容される。これにより、後側係止受部５ｂ１に対する後側係止片１２４の係止状態が解除される。
【００３８】
その後、図１５（ｂ）に示すように、操作部１０の後部を持ち上げて凹部５の後縁部５ｂから後側係止片１２４を引き抜き、凹部５の外方に後側係止片１２４を位置させる。
これにより、前側係止片１２３に対してスライド時の外力が作用しなくなり、前側係止片１２３が弾性変形する前の元の状態に戻る。
【００３９】
その後、図１４（ｂ）、図１５（ｂ）において白抜き矢印で示すように、操作部１０の前部を上方に持ち上げ、前側係止受部５ａ１の係止部５ａ２（図１５（ｂ）参照）から前側係止片１２３の係止爪１２３ｂを引き抜く。
これにより、前側係止片１２３と前側係止受部５ａ１との係止が解除され、操作部１０をトップカバー３（の凹部５）から取り外すことができる。
【００４０】
以上説明した本実施形態の洗濯機１によれば、前側係止片１２３は、後側係止片１２４よりも弾性変形し易く形成されているので、この前側係止片１２３の弾性変形を利用して操作部１０の取り付けおよび取り外しを行うことができる。
つまり、トップカバー３に操作部１０を取り付ける際には、弾性変形し難い後側係止片１２４を後側係止受部５ｂ１に先に係止しておいてから、弾性変形し易い前側係止片１２３をその弾性を利用して前側係止受部５ａ１に係止することができるので、取付作業が簡単であり組付性に優れる。
一方、トップカバー３から操作部１０を取り外す際には、前側係止片１２３が弾性変形するように操作部１０を前方にスライド移動させて前側係止片１２３に外力を作用させ、そのスライド移動によって、弾性変形し難い後側係止片１２４を後側係止受部５ｂ１から外すことができるので、後側係止片１２４の取り外しをスムーズに行うことができ、取り外し作業が簡単である。したがって、メンテナンス性に優れる。
【００４１】
前側係止片１２３の係止爪１２３ｂと後側係止片１２４の係止爪１２４ｃは、操作部１０の前後方向に沿って相互に離反する方向に突出しているので、トップカバー３の前後方向に位置ずれが生じ難くなり、トップカバー３への固定が安定した強固なものとなる。
【００４２】
前側係止片１２３は、後側係止片１２４よりも全長が長く形成されることで、後側係止片１２４よりも弾性変形し易く形成されているので、弾性変形し易くするための構成が簡単であり、また、前側係止片１２３と、後側係止片１２４とで材質を異ならせる必要もないので、成形性に優れる。このことは、コストの低減に寄与する。
なお、前側係止片１２３の延出部１２３ａの延出方向に直交する断面の断面積を、後側係止片１２４の延出部１２４ａの延出方向に直交する断面の断面積よりも小さく形成することによっても、簡単に、前側係止片１２３を弾性変形し易く形成することができる。
【００４３】
操作部１０は、前側係止片１２３によってトップカバー３の洗濯物の出入口３ａに向けて付勢されているので、操作部１０の後部側が凹部５の後縁部５ｂに密着する状態となり、出入口３ａに近い側において、操作部１０の水密性が高まるという利点が得られる。
【００４４】
また、基部１２１に後側係止片１２４が設けられ、装着部１２２に前側係止片１２３が設けられており、前側係止片１２３は、装着部１２２の前枠１２２ａや前後枠１２２ｂの撓みによっても弾性変形し易くなっているので、前側係止片１２３自体が弾性変形し易いこととの相乗効果により操作部１０の取り付けおよび取り外しがより行い易くなる。
【００４５】
また、トップカバー３に対して操作部１０を前方へスライドさせる操作および操作部１０の後部側を上方へ引き上げる操作に応じて、操作部１０がトップカバー３から外れるので、２つの操作を行うだけでトップカバー３から操作部１０を取り外すことができるので、取り外し作業が簡単であり、メンテナンス性に優れる。
【００４６】
また、前側係止受部５ａ１の係止部５ａ２は、前側係止受部５ａ１の縦孔の後内面から縦孔の内空に突出しており、縦孔の前内面との間に隙間を有する（前内面に接触しない構造）となっているので、トップカバー３の成形時に、前側係止受部５ａ１に対応する前縁部５ａの前面に、うねりやヒケ等の外観異常を生じることがない。また、成形時には、前縁部５ａの後方側から係止部５ａ２に対して樹脂を供給することができ、製品成形性に優れる。
【００４７】
なお、本発明は、前記した第１実施形態に限定されるものではなく、様々な変形例が含まれる。例えば、前側係止片１２３および後側係止片１２４は、前側係止片１２３が、後側係止片１２４よりも弾性変形し易く形成されている構成であればよく、種々の形状、種々の大きさのものを採用することができる。
また、前側係止片１２３は、操作部１０の略前端の下部に設けたが、操作部１０の前後方向の中心部寄りに設けてもよい。また、後側係止片１２４は、操作部１０の後端の下部に設けたが、操作部１０の前後方向の中心部寄りに設けてもよい。
【００４８】
また、後側係止受部５ｂ１は、操作部１０を取り外す際のスライド操作時に後側係止片１２４の係止が解除される構成であれば種々の形状のものを採用することができる。
【符号の説明】
【００４９】
１      洗濯機
２      筐体
３      トップカバー
３ａ    出入口
５ａ１  前側係止受部
５ａ２  係止部
５ｂ１  後側係止受部
５      凹部
１０    操作部
１２    フロントパネル
１２１  基部
１２２  装着部
１２３  前側係止片
１２４  後側係止片
１２３ｂ，１２４ｃ  係止爪
【図１】
2013255696.tif 000003
【図２】
2013255696.tif 000004
【図３】
2013255696.tif 000005
【図４】
2013255696.tif 000006
【図５】
2013255696.tif 000007
【図６】
2013255696.tif 000008
【図７】
2013255696.tif 000009
【図８】
2013255696.tif 000010
【図９】
2013255696.tif 000011
【図１０】
2013255696.tif 000012
【図１１】
2013255696.tif 000013
【図１２】
2013255696.tif 000014
【図１３】
2013255696.tif 000015
【図１４】
2013255696.tif 000016
【図１５】
2013255696.tif 000017